(57)【要約】【課題】例えばカメラ付の携帯電話等を手軽にセルフタイマー撮影等を行えるようにする携帯性に優れた撮影装置用スタンドを提供する。【解決手段】長手方向Ｙと短手方向Ｘを有する可撓性部材からなるスタンド本体１０の、長手方向の一端部近傍に、支持体を差込むための支持用開口部３が短手方向Ｘに沿うよう形成され、長手方向Ｙの他端部近傍に、撮影装置５を差し込むための第１差込開口部２が短手方向Ｘに沿うよう形成されている。これにより、長手方向Ｙの一端部近傍に形成された支持用開口部３に支持体を差込んで安定させ、長手方向の他端部近傍に形成された第１差込開口部２に撮影装置５を差し込んで、撮影装置５を撮影用にセットし、セルフタイマー撮影等を行うことができる。【選択図】図１
2012103568.tif 000002
【特許請求の範囲】
【請求項１】
長手方向と短手方向を有する可撓性部材からなるスタンド本体の、
長手方向の一端部近傍に、支持体を差込むための支持用開口部が短手方向に沿うよう形成され、
長手方向の他端部近傍に、撮影装置を差し込むための第１差込開口部が短手方向に沿うよう形成されている
ことを特徴とする撮影装置用スタンド。
【請求項２】
さらに、短手方向の両側部近傍に、撮影装置を差し込むための第２差込開口部が長手方向に沿うよう形成されている
請求項１記載の撮影装置用スタンド。
【請求項３】
さらに、上記支持用開口部と第１差込開口部の間に、第１差込開口部に撮影装置を差し込んだ状態で、撮影装置と支持体の間に挟まれる切り起し片が設けられている
請求項１または２記載の撮影装置用スタンド。
【請求項４】
上記スタンド本体はシート状である
請求項１〜３のいずれか一項に記載の撮影装置用スタンド。
【請求項５】
上記スタンド本体は、シート状部分と、上記シート状部分の周縁において厚みを形成する周壁部分とを備え、撮影装置の周側部および背面をカバーするカバー部材として機能するよう構成されている
請求項１〜３のいずれか一項に記載の撮影装置用スタンド。
【請求項６】
上記周壁部分に、第１差込開口部および／または第２差込開口部が形成されている
請求項５記載の撮影装置用スタンド。
【請求項７】
上記支持用開口部は、周壁部分とシート状部分の少なくともいずれかに形成されている
請求項５または６記載の撮影装置用スタンド。
【請求項８】
上記支持用開口部は、スタンド本体に短手方向に沿って形成された複数の切れ込みから構成されている請求項１〜７のいずれか一項に記載の撮影装置用スタンド。
【発明の詳細な説明】
【技術分野】
【０００１】
本発明は、例えばカメラ付の携帯電話等を手軽にセルフタイマー撮影等を行えるようにする携帯性に優れた撮影装置用スタンドに関するものである。
【背景技術】
【０００２】
近年、カメラ付携帯電話が爆発的に普及し、このような携帯電話に付属のカメラも、画質が向上し、多種多様な機能が付属しており、写真撮影装置として極めて普通に使用されるようになってきた。当然、カメラ付携帯のカメラでも、セルフタイマー機能が付属した物がほとんどで、セルフポートレートや集合写真を撮影できるようになっている。
【０００３】
ところが、本来は携帯電話であってカメラではないことから、多くの機種では、カメラのように三脚用のねじ穴を持っていない。また、携帯電話機としてダイヤルボタン部分を有するという機能上の必要性から、二つ折りやスライド式になったものが多い。このため、セルフタイマー撮影をしようと思っても、三脚は使用できず、机等の台上に置こうと思っても、撮影対象にレンズを向けた状態で安定して置くことができない。したがって、セルフタイマー機能はついていても結局それが使われることはなく、セルフポートレートはカメラ付携帯を片手でかざして自分にレンズを向けて撮影し、集合写真ではシャッター操作を誰かに頼む意外に方法がなかった。
【０００４】
そこで、カメラ付携帯電話用の支持装置として、下記の特許文献１〜４に示すようなものが考案されている。
【先行技術文献】
【特許文献】
【０００５】
【特許文献１】特開２００２−０６２５７８号公報
【特許文献２】特開２００３−２１０２９１号公報
【特許文献３】特開２００３−３１９０５０号公報
【特許文献４】特開２００４−３１７５７８号公報
【発明の概要】
【発明が解決しようとする課題】
【０００６】
上記特許文献１に記載のカメラ撮影用ホルダでは、ボックス状のホルダに携帯電話を収容し、ホルダを卓上等に載置して撮影を行うものである。
しかしながら、このホルダでは、携帯電話を横から収納するボックス状になっている。一方、携帯電話の機種は極めて多品種で、スライド方式や二つ折り方式など、構造もまちまちである。このため、携帯電話の機種ごとにそれにあったホルダを作らねばならず、コスト的に極めて不利である。また、携帯電話を収容するボックス状の形状であることは、収容する携帯電話より確実に大型になり、携帯電話以外にそれ以上の大きさのホルダを持ち歩くことは現実的でない。
【０００７】
上記特許文献２に記載の物品支持装置は、携帯電話を収容するポケット状の箱体の下部に三脚が取り付けられて構成されている。
特許文献３に記載の携帯電話の支持具は、携帯電話に吸着させる吸盤の下部に三脚が取り付けられて構成されている。
特許文献４に記載の携帯電話用三脚は、携帯電話の充電端子部に差し込むコネクタ部の下部に三脚が取り付けられて構成されている。
しかしながら、これらの装置では、小型の三脚を使用するのが前提となっているため、コスト的に高くなることが避けられないうえ、携帯性や気軽に使用できるという面でも十分なものではない。
【０００８】
本発明は、上記課題を解決するためになされたものであり、例えばカメラ付の携帯電話等を手軽にセルフタイマー撮影等を行えるようにする携帯性に優れた撮影装置用スタンドを提供することをその目的とする。
【課題を解決するための手段】
【０００９】
上記の目的を達成するため、本発明の撮影装置用スタンドは、長手方向と短手方向を有する可撓性部材からなるスタンド本体の、
長手方向の一端部近傍に、支持体を差込むための支持用開口部が短手方向に沿うよう形成され、
長手方向の他端部近傍に、撮影装置を差し込むための第１差込開口部が短手方向に沿うよう形成されていることを要旨とする。
【発明の効果】
【００１０】
本発明の撮影装置用スタンドは、長手方向の一端部近傍に形成された支持用開口部に支持体を差込んで安定させ、長手方向の他端部近傍に形成された第１差込開口部に撮影装置を差し込んで、撮影装置を撮影用にセットし、セルフタイマー撮影等を行うことができる。
このとき、支持用開口部および第１差込開口部は、それぞれ可撓性部材の短手方向に沿うよう形成されていることから、支持用開口部に支持体を差し込むとともに、第１差込開口部に撮影装置を差し込んだ状態で、可撓性部材は長手方向に沿って撓んで剛性が向上し、差し込んでセットした撮影装置が安定する。
そして、スタンド本体は、長手方向と短手方向を有する可撓性部材からなることから、極めて軽量で嵩張らず、可撓性であるために鞄のなかでゴツゴツせず、極めて携帯性に優れているうえ、使用感も柔らかである。また、支持用開口部や第１差込開口部を打ち抜きや射出成形等の方法で形成することが可能で、従来の三脚等に比べてコスト面でも極めて有利である。
【００１１】
本発明において、さらに、短手方向の両側部近傍に、撮影装置を差し込むための第２差込開口部が長手方向に沿うよう形成されている場合には、
撮影装置の差込方向をほぼ９０度変えることが可能となる。したがって、縦位置または横位置を選択してのセルフタイマー撮影を容易に行うことができる。
【００１２】
本発明において、さらに、上記支持用開口部と第１差込開口部の間に、第１差込開口部に撮影装置を差し込んだ状態で、撮影装置と支持体の間に挟まれる切り起し片が設けられている場合には、
第１差込開口部に撮影装置を差し込んだ状態で、撮影装置と支持体の間に切り起し片を挟むことにより、撮影装置は、第１差込開口部の差込部分で支持されるとともに、切り起し片に当接して摩擦力により支持される。このように、撮影装置は２箇所で支持され、撮影中の安定度が格段に向上する。
【００１３】
本発明において、上記スタンド本体はシート状である場合には、
持ち歩くときはシート状のスタンド本体を手帳に挟むなどして携帯することができ、極めて軽量で嵩張らず、可撓性であるために鞄のなかでゴツゴツせず、極めて携帯性に優れているうえ、使用感も柔らかである。また、第１差込開口部や支持用開口部を、シート状部材を打ち抜いて形成することが可能で、従来の三脚等に比べてコスト面でも極めて有利である。
【００１４】
本発明において、上記スタンド本体は、シート状部分と、上記シート状部分の周縁において厚みを形成する周壁部分とを備え、撮影装置の周側部および背面をカバーするカバー部材として機能するよう構成されている場合には、
カバー部材を利用して撮影スタンドとして使用できることから、撮影をしないときは撮影部材の保護や装飾のために装着しているカバー部材を、撮影の際に外して撮影スタンドとし、気軽かつ容易にセルフタイマー撮影を行うことができる。
【００１５】
本発明において、上記周壁部分に、第１差込開口部および／または第２差込開口部が形成されている場合には、
撮影部材の操作部の操作のための操作用開口部や、外部機器との接続コネクタを露出させるための接続用開口部を、第１差込開口部や第２差込開口部として利用することも可能となる。このようにすることにより、不必要に開口部を増やさず、構造的な無駄を防止するとともに、強度低下を防止する。
【００１６】
本発明において、上記支持用開口部は、周壁部分とシート状部分の少なくともいずれかに形成されている場合には、
支持用開口部を周壁部分に形成すると、撮影部材の操作部の操作のための操作用開口部や、外部機器との接続コネクタを露出させるための接続用開口部を、支持用開口部として利用することも可能となる。このようにすることにより、不必要に開口部を増やさず、構造的な無駄を防止するとともに、強度低下を防止する。
支持用開口部をシート状部分に形成すると、支持用開口部に支持体を差し込んだ状態で、シート状部分は長手方向に沿って撓んで剛性が向上し、差し込んでセットした撮影装置が安定する。
【００１７】
本発明において、支持用開口部は、スタンド本体に短手方向に沿って形成された複数の切れ込みから構成されている場合には、
支持体にスタンド本体を取り付ける際には、上下の切れ込みに挟まれた帯状部を前方に撓ませ、下の切れ込みよりも下側の部分および上の切れ込みよりも上側の部分を後方に撓ませる。これにより形成される２つの開口に支持体を下から順次差し込むことが行われる。この例では、２つの支持用開口部に支持体を差し込んでスタンド本体を取り付けることから、取り付け状態がより安定する。また、上下の切れ込みに挟まれた帯状部で支持体の前側を抱き、それに対応する支持体の後側は、上下のシート状部分同士を寄せる空間として機能する。このため、支持体にスタンド本体を取り付けて撮影装置をセットした状態で、撮影装置の上下揺動が容易となり、撮影角度の調節ができるようになる。
【図面の簡単な説明】
【００１８】
【図１】本発明の第１実施形態における撮影装置用スタンドを示す図である。
【図２】支持体との連結状態を示す斜視図である。
【図３】撮影装置を差し込む状態を示す斜視図である。
【図４】撮影装置を差し込む状態を側面から見た図である。
【図５】撮影装置を差し込む状態を示す第２例を正面から見た図である。
【図６】本発明の第２実施形態における撮影装置用スタンドを示す図である。
【図７】本発明の第３実施形態における撮影装置用スタンドを示す図である。
【図８】本発明の第４実施形態における撮影装置用スタンドを示す図である。
【図９】上記第４実施形態の使用状態を説明する図である。
【図１０】本発明の第５実施形態における撮影装置用スタンドを示す図である。
【発明を実施するための形態】
【００１９】
以下、本発明の撮影装置用スタンドの実施形態について詳細に説明する。
【００２０】
図１は、本実施形態の撮影装置用スタンド１の全体構造を示す図である。
【００２１】
この撮影装置用スタンド１は、スタンド本体１０が、長手方向Ｙと短手方向Ｘを有するシート状の可撓性部材から形成されている。この例における撮影装置としては、例えばカメラ付携帯電話機や、コンパクトデジタルカメラを使用することができる。
【００２２】
上記シート状の可撓性部材としては、ある程度の厚みで可撓性を有するもの、例えば、ポリ塩化ビニル、ポリエチレン、ポリプロピレン、ポリウレタン、ナイロン等、シート状にした状態で手指で容易に撓ませることができる樹脂材料を用いることができる。この例では、厚み２ｍｍのポリ塩化ビニルシートを採用した。
【００２３】
上記シート状の可撓性部材が、まず、長手方向Ｙと短手方向Ｘを有する平面形状にカットされる。この例では、短手方向Ｘの一辺が丸くカットされた舌状にカットされている。長手方向Ｙと短手方向Ｘを有する形状であれば、例えば、長方形、トラック形状、ひし形、楕円形など、各種の平面形状を採用することができる。
【００２４】
所定の平面形状にカットされたシート状の可撓性部材には、長手方向Ｙの一端部近傍に、支持体としてのペットボトル１６のキャップ部１７（図２参照）を差込むための支持用開口部３が短手方向Ｘに沿うよう形成されている。上記支持用開口部３は、この例では、短手方向Ｘに沿って延びる切れ込み３ａと、上記切れ込み３ａの両端部に穿設された裂け止めのための丸穴３ｂとから構成されている。
【００２５】
また、上記可撓性部材には、長手方向Ｙの他端部近傍に、撮影装置５（図３および図４参照）を差し込むための第１差込開口部２が短手方向Ｘに沿うよう形成されている。上記第１差込開口部２は、この例では、短手方向Ｘに沿って延びる長い切れ込み２ａと、その両端において長手方向Ｙに沿って延びる短い切れ込み２ｂと、短い切れ込み２ｂの両端部に穿設された裂け止めのための丸穴２ｃとから構成され、全体として「Ｉ」字状の切れ込みによって形成されている。
【００２６】
上記可撓性部材には、上記第１差込開口部２と支持用開口部３に挟まれた領域において、さらに、短手方向Ｘの両側部近傍に、撮影装置５（図５参照）を差し込むための第２差込開口部６が長手方向Ｙに沿うよう形成されている。上記第２差込開口部６は、裂け止めのために両端が丸く形成されたスリット状に形成されている。
【００２７】
上記可撓性部材には、さらに、上記支持用開口部３と第１差込開口部２の間で、両第２差込開口部６に挟まれた領域において、第１差込開口部２に撮影装置５を差し込んだ状態で、撮影装置５と支持体としてのペットボトル１６のキャップ部１７（図４参照）の間に挟まれる切り起し片１１が設けられている。上記切り起し片１１は、細長い馬蹄形の切れ目１１ｂに囲まれた領域として設けられている。上記切れ目１１ｂの馬蹄形の開放端部には、裂け止めのための丸穴１１ａが形成されている。上記切り起し片１１は、馬蹄形の開放端部が支持用開口部３と対面し、開放端部に挟まれた部分を折り曲げることにより、切れ目１１ｂに囲まれた馬蹄形状の部分が起き立つようになっている。
【００２８】
図２は、上記支持用開口部３を開口させた状態を示す図である。
【００２９】
上記支持用開口部３は、可撓性部材の切れ込み３ａより下側を前方に撓め、可撓性部材の切れ込み３ａより上側を後方に撓めることにより開口させる。このようにして開口させた支持用開口部３に対し、支持体であるペットボトル１６のキャップ部１７を差し込むことが行われる。ペットボトル１６としては、飲料用容器としてのペットボトル１６が用いられ、中身が空になっておらず、ある程度の重量を確保したものを用いる。このようにすることにより、ペットボトル１６の上にスタンド本体１０を立てた状態で取り付けることができる。
【００３０】
図３は、上記第１差込開口部２を開口させた状態を示す図である。
【００３１】
図示のように、可撓性部材を、上記第１差込開口部２が形成された部分を境にして二つ折りになるよう撓める。このようにすることにより、長い切れ込み２ａとその両端の短い切れ込み２ｂに囲われる帯状の舌片４が、湾曲した可撓性部材の頂部よりも上方に起立し、それらの間に第１差込開口部２が開口する。この第１差込開口部２に、撮影装置５を差し込むことが行われる。
【００３２】
図４は、支持体であるペットボトル１６にスタンド本体１０を取り付け、撮影装置５を差し込む状態の第１例を示す図である。
【００３３】
このように、ペットボトル１６の上にスタンド本体１０を立てた状態で取り付け、上部に形成される第１差込開口部２に撮影装置５を差し込む。このとき、第１差込開口部２と支持用開口部３の間の切り起し片１１を前方に向かって起き立たせ、第１差込開口部２に撮影装置５を差し込んだ状態で、撮影装置５とペットボトル１６のキャップ部１７の間に挟むことが行われる。この状態では、撮影装置５が縦長になるように取り付けられ、一般には縦位置での撮影が可能となる。
【００３４】
図５は、支持体であるペットボトル１６にスタンド本体１０を取り付け、撮影装置５を差し込む状態の第２例を示す図である。
【００３５】
このように、ペットボトル１６の上にスタンド本体１０を立てた状態で取り付け、左右に配置される第２差込開口部６に撮影装置５を差し込む。このとき、可撓性部材の両側辺部すなわち第２差込開口部６よりも外側の帯状の部分を前側に撓ませ、第２差込開口部６に挟まれた部分を前側に撓ませ、それによりできた開口に撮影装置５を差し込むことが行われる。この状態では、撮影装置が横長になるように取り付けられ、一般には横位置での撮影が可能となる。
【００３６】
以上のように、本実施形態の撮影装置用スタンド１は、長手方向の一端部近傍に形成された支持用開口部３に支持体を差込んで安定させ、長手方向の他端部近傍に形成された第１差込開口部２に撮影装置５を差し込んで、撮影装置５を撮影用にセットし、セルフタイマー撮影等を行うことができる。
このとき、支持用開口部３および第１差込開口部２は、それぞれ可撓性部材の短手方向Ｘに沿うよう形成されていることから、支持用開口部３に支持体を差し込むとともに、第１差込開口部２に撮影装置を差し込んだ状態で、可撓性部材は長手方向に沿って撓んで剛性が向上し、差し込んでセットした撮影装置５が安定する。
そして、スタンド本体１０は、長手方向Ｙと短手方向Ｘを有する可撓性部材からなることから、極めて軽量で嵩張らず、可撓性であるために鞄のなかでゴツゴツせず、極めて携帯性に優れているうえ、使用感も柔らかである。また、支持用開口部３や第１差込開口部２を打ち抜きや射出成形等の方法で形成することが可能で、従来の三脚等に比べてコスト面でも極めて有利である。
【００３７】
さらに、短手方向Ｘの両側部近傍に、撮影装置５を差し込むための第２差込開口部６が長手方向Ｙに沿うよう形成されているため、
撮影装置５の差込方向をほぼ９０度変えることが可能となる。したがって、縦位置または横位置を選択してのセルフタイマー撮影を容易に行うことができる。
【００３８】
さらに、上記支持用開口部３と第１差込開口部２の間に、第１差込開口部２に撮影装置５を差し込んだ状態で、撮影装置５と支持体の間に挟まれる切り起し片１１が設けられているため、
第１差込開口部２に撮影装置５を差し込んだ状態で、撮影装置５と支持体の間に切り起し片１１を挟むことにより、撮影装置５は、第１差込開口部２の差込部分で支持されるとともに、切り起し片１１に当接して摩擦力により支持される。このように、撮影装置５は２箇所で支持され、撮影中の安定度が格段に向上する。
このとき、切り起し片１１の撮影装置５が当接する面に、滑り止め処理を施すこともできる。滑り止め処理としては、例えば、表面の面粗度を粗くする、ゴムやエラストマー等の摩擦係数が高い部材を貼り付ける等の手法を採用することができる。
【００３９】
また、上記スタンド本体１０はシート状であるため、
持ち歩くときはシート状のスタンド本体１０を手帳に挟むなどして携帯することができ、極めて軽量で嵩張らず、可撓性であるために鞄のなかでゴツゴツせず、極めて携帯性に優れているうえ、使用感も柔らかである。また、第１差込開口部２や支持用開口部３を、シート状部材を打ち抜いて形成することが可能で、従来の三脚等に比べてコスト面でも極めて有利である。
【００４０】
図６は、本発明の第２実施形態の撮影装置用スタンド１を示す。
【００４１】
この例では、支持用開口部は、スタンド本体に短手方向に沿って形成された複数の切れ込みから構成されている。具体的には、２つの切れ込み３ａ，３ｃにより、２つの支持用開口部３１，３２が形成されている。
【００４２】
これにより、支持体であるペットボトル１６のキャップ部１７にスタンド本体１０を取り付ける際には、上下の切れ込み３ａ，３ｃに挟まれた帯状部を前方に撓ませ、下の切れ込み３ａよりも下側の部分および上の切れ込み３ｃよりも上側の部分を後方に撓ませる。これにより形成される２つの開口にペットボトル１６のキャップ部１７を下から順次差し込むことが行われる。それ以外は、上記第１実施形態と同様であり同様の部分には同じ符号を付している。
【００４３】
この例では、２つの支持用開口部３１，３２にキャップ部１７を差し込んでスタンド本体１０を支持体に取り付けることから、取り付け状態がより安定する。また、上下の切れ込み３ａ，３ｃに挟まれた帯状部でキャップ部１７の前側を抱き、それに対応するキャップ部１７の後側には帯状の隙間ができる。この隙間は、上下のシート状部分同士を寄せる遊びの空間として機能する。このため、キャップ部１７にスタンド本体１０を取り付けて撮影装置５をセットした状態で、撮影装置５の上下揺動が容易となり、撮影角度の調節ができるようになる。それ以外は、上記第１実施形態と同様の作用効果を奏する。
【００４４】
なお、上述した第１および第２の実施形態では、切り起こし片１１を馬蹄形に形成したが、これに限定するものではなく、匙状、舌状等、各種の形状とすることができる。
【００４５】
図７は、本発明の第３実施形態の撮影装置用スタンド１を示す。
【００４６】
上記スタンド本体２０は、可撓性部材から構成され、シート状部分２１と、上記シート状部分２１の周縁において厚みを形成する周壁部分２２とを備えている。これにより、撮影装置５の周側部および背面をカバーするカバー部材として機能するよう構成されている。この例における撮影装置としては、例えばスマートフォン等を使用することができる。
【００４７】
また、上記周壁部分２２に、第１差込開口部２と第２差込開口部６の少なくともいずれか形成され、この例では双方形成されている。すなわち、周壁部分２２のうち長手方向Ｙに沿って対面する２つの帯状部に、それぞれ、長手方向Ｙに沿って延びるスリット状の第２差込開口部６が形成されている。また、周壁部分２２のうち短手方向Ｘに沿って対面する２つの帯状部のうち一方に、短手方向Ｘに沿って延びるスリット状の第１差込開口部２が形成されている。
【００４８】
また、支持用開口部３３、３４は、周壁部分２２とシート状部分２１の少なくともいずれかに形成され、この例では、双方に形成されている。すなわち、周壁部分２２のうち短手方向Ｘに沿って対面する２つの帯状部のうち第１差込開口部２が形成されていない方に、短手方向Ｘに沿って延びるスリット状の第１の支持用開口部３３が形成されている。また、シート状部分２１の第１差込開口部２から離れた側の端部近傍に、短手方向Ｘに沿って延びる切れ込みからなる第２支持用開口部３４が形成されている。
【００４９】
第１支持用開口部３３と第２支持用開口部３４の双方を用いてスタンド本体２０を支持体に取り付けてもよいし、第２支持用開口部３４だけを用いてスタンド本体２０を支持体に取り付けてもよい。
【００５０】
上記スタンド本体２０は、シート状部分２１と、上記シート状部分２１の周縁において厚みを形成する周壁部分２２とを備え、撮影装置の周側部および背面をカバーするカバー部材として機能するよう構成されているため、
カバー部材を利用して撮影スタンドとして使用できることから、撮影をしないときは撮影部材の保護や装飾のために装着しているカバー部材を、撮影の際に外して撮影スタンドとし、気軽かつ容易にセルフタイマー撮影を行うことができる。
【００５１】
上記周壁部分２２に、第１差込開口部２および／または第２差込開口部６が形成されているため、
撮影部材の操作部の操作のための操作用開口部や、外部機器との接続コネクタを露出させるための接続用開口部を、第１差込開口部２や第２差込開口部６として利用することも可能となる。このようにすることにより、不必要に開口部を増やさず、構造的な無駄を防止するとともに、強度低下を防止する。
【００５２】
上記支持用開口部３３，３４は、周壁部分２２とシート状部分２１の少なくともいずれかに形成されているため、
第１支持用開口部３３を周壁部分２２に形成すると、撮影部材の操作部の操作のための操作用開口部や、外部機器との接続コネクタを露出させるための接続用開口部を、第１支持用開口部３３として利用することも可能となる。このようにすることにより、不必要に開口部を増やさず、構造的な無駄を防止するとともに、強度低下を防止する。
第２支持用開口部３４をシート状部分２１に形成すると、第２支持用開口部３４に支持体を差し込んだ状態で、シート状部分２１は長手方向に沿って撓んで剛性が向上し、差し込んでセットした撮影装置が安定する。
【００５３】
図８は、本発明の第４実施形態の撮影装置用スタンド１を示す。
【００５４】
この実施形態は、切り起し片１１の中に、第２切り起し片１２を設けたものである。すなわち、この例では、上記切り起し片１１は大略匙形状に形成されており、中央付近に、先端側に端部を有する溝形状の切れ込み１２ａと、端部の丸穴１２ｂとが形成され、切れ込み１２ａに囲われた部分が第２切り起し片１２に形成されている。上記切り起し片１１の先端両側の部分、切れ込み１２ａの両端部の丸穴１２ｂに対応する箇所に三角状の切欠部１３が形成され、切欠部１３と両丸穴１２ｂに挟まれた部分が薄肉部１４に形成されている。これにより、切り起し片１１をスタンド本体１０から起立させた状態で、薄肉部１４をねじり変形させ、第２切り起し片１２を切り起し片１１から起立させることができる。
【００５５】
一方、この例では、第１差込開口部２は、短手方向Ｘに沿う扁平な溝形状の切れ込み２ａと両端部の丸穴２ｃとから形成されている。また、第２差込開口部６は、長手方向Ｙに沿う扁平な溝形状の２つの切れ込み６ａと両端部の丸穴６ｂとから形成されている。
【００５６】
図９（Ａ）は、第４実施形態の使用状態の第１例を説明する図である。このように、支持用開口部３にキャップ部１７を差し込んだ状態で、切り起し片１１をスタンド本体１０から起立させ、撮影装置５の滑り止めやクッションのためにキャップ部１７の上に沿わせる。この状態から、第２切り起し片１２を下側に引き出してキャップ部１７の端部に引っ掛けることにより、切り起し片１１の先端部が上向きに起立する。これにより、撮影装置５の下端部が、起立した切り起し片１１の先端部に引っかかって不用意に外れてしまうことが防止される。
【００５７】
図９（Ｂ）は、第４実施形態の使用状態の第２例を説明する図である。このように、支持用開口部３にキャップ部１７を差し込んだ状態で、切り起し片１１をスタンド本体１０から起立させ、撮影装置５の滑り止めやクッションのためにキャップ部１７の上に沿わせる。この状態から、第２切り起し片１２を上側に引き出すことにより、下向きに折り曲げられる切り起し片１１の先端部をキャップ部１７の端部に引っ掛ける。これにより、撮影装置５の下端部が、起立した第２切り起し片１２に引っかかって不用意に外れてしまうことが防止される。
【００５８】
図１０は、本発明の第５実施形態の撮影装置用スタンド１を示す。
【００５９】
この実施形態は、第２差込開口部６を切れ込み６ａと丸穴６ｂとから形成し、切れ込み６ａの下側をそれぞれ内側に屈曲させた切れ込み形状により、第１差込開口部２に差し込んだ撮影装置５を両側から保持する保持部１５を形成したものである。
【００６０】
上述した各実施形態では、撮影装置の一例としてカメラ付携帯電話機５やコンパクトデジタルカメラ、スマートフォンを取り上げて説明したが、これに限定するものではなく、レンズ付フィルムの使いきりカメラ等、各種の撮影装置を適用することができる。
【符号の説明】
【００６１】
１：撮影装置用スタンド
２：第１差込開口部
２ａ：長い切れ込み
２ｂ：短い切れ込み
２ｃ：丸穴
３：支持用開口部
３ａ：切れ込み
３ｂ：丸穴
３ｃ：切れ込み
４：舌片
５：撮影装置
６：第２差込開口部
６ａ：切れ込み
６ｂ：丸穴
１０：スタンド本体
１１：切り起し片
１１ａ：丸穴
１１ｂ：切れ目
１２：第２切り起し片
１２ａ：切れ込み
１２ｂ：丸穴
１３：切欠部
１４：薄肉部
１５：保持部
１６：ペットボトル
１７：キャップ部
２０：スタンド本体
２１：シート状部分
２２：周壁部分
３１：支持用開口部
３２：支持用開口部
３３：第１支持用開口部
３４：第２支持用開口部
Ｘ：短手方向
Ｙ：長手方向
【図１】
2012103568.tif 000003
【図２】
2012103568.tif 000004
【図３】
2012103568.tif 000005
【図４】
2012103568.tif 000006
【図５】
2012103568.tif 000007
【図６】
2012103568.tif 000008
【図７】
2012103568.tif 000009
【図８】
2012103568.tif 000010
【図９】
2012103568.tif 000011
【図１０】
2012103568.tif 000012